(57)【特許請求の範囲】
【請求項１】
機器毎に異なる固有のデータを記憶する固有データ記憶手段と、
この固有データ記憶手段に記憶されたデータを無線信号として送信する送信手段と、
他の機器の送信手段により送信された無線信号または自己の機器の送信手段により送信された無線信号の反射信号を受信する受信手段と、
複数種類の画像データを記憶している画像データ記憶手段と、
前記受信手段により受信された無線信号のデータと前記固有データ記憶手段に記憶されている固有データとの一致／不一致を判断する受信データ判断手段と、
この受信データ判断手段の判断結果に応じて前記画像データ記憶手段に記憶された複数種類の画像データのうち少なくとも１つの画像データを選択する画像データ選択手段と、
この画像データ選択手段により選択された画像データを表示する表示手段と、
を具備したことを特徴とする電子機器。
【請求項２】
機器毎に異なる固有のデータを記憶する固有データ記憶手段と、
この固有データ記憶手段に記憶されたデータを無線信号として送信する送信手段と、
他の機器の送信手段により送信された無線信号または自己の機器の送信手段により送信された無線信号の反射信号を受信する受信手段と、
複数種類の画像データを記憶している画像データ記憶手段と、
この画像データ記憶手段に記憶された複数種類の画像データのそれぞれに対応して複数種類の音データを記憶している音データ記憶手段と、
前記受信手段により受信された無線信号のデータと前記固有データ記憶手段に記憶されている固有データとの一致／不一致を判断する受信データ判断手段と、
この受信データ判断手段の判断結果に応じて前記画像データ記憶手段に記憶された複数種類の画像データのうち少なくとも１つの画像データを選択する画像データ選択手段と、
この画像データ選択手段により選択された画像データを表示する表示手段と、
この表示手段による画像データの表示と共に、その画像データに対応して前記音データ記憶手段に記憶されている音データに応じた音を発生する音発生手段と、
を具備したことを特徴とする電子機器。
【請求項３】
前記送信手段及び受信手段は、光、音波を利用した通信手段からなることを特徴とする請求項１又は請求項２記載の電子機器。
【請求項４】
前記固有のデータは、キー入力された性別、名前の文字データであることを特徴とする請求項１ないし請求項３の何れか１項記載の電子機器。
【発明の詳細な説明】
【０００１】
【産業上の利用分野】
本発明は、例えば電子式の手帳や電子ゲーム機等において、予め記憶された画像データ等をユーザ操作に応じて切換え表示する電子機器に関する。
【０００２】
【従来の技術】
従来の電子機器において、例えば動物等のキャラクタを表示する画像表示装置にあっては、その表示するキャラクタ画像を動かしたり変化させたりするのは、通常、キー入力部からの複数のキー入力操作に応じて行なわれる。
【０００３】
すなわち、前記キャラクタ画像として例えば犬を表示する場合に、上下左右を示すカーソルキーを選択的に操作することにより、それぞれの方向に犬の移動表示等が行なえる。
【０００４】
しかしながら、キー入力という機械的操作の命令によりキャラクタ画像の移動表示等を行なうのでは、動物等の被表示キャラクタ画像を、ユーザによる現実的な感覚の命令により動かしたり変化させたりして表示することができず、面白みに欠けるという問題がある。
【０００５】
【発明が解決しようとする課題】
そこで、本件出願人は、装置本体から発射させた赤外光をユーザの手による非接触での操作により反射させ、この反射光を受光することで、その反射受光パターンに応じてキャラクタ画像の変化表示が行なえる電子機器につき出願した。
【０００６】
しかしながら、この電子機器にあっては、赤外光の受光パターンに応じてキャラクタ画像の変化表示を行なう機能を設けた場合、受光信号が自発光による赤外光を前記非接触でのユーザ操作により反射させたものなのか、あるいは他の電子機器から発光されたものなのかの区別が困難になり、何れの場合でも、その受光パターンが同じであれば同一のキャラクタ画像が表示されてしまう問題がある。本発明は、前記課題に鑑みなされたもので、自己送信信号に伴なう反射信号が受信されたのか、他の機器からの送信信号が受信されたのかに応じて、異なる画像表示を行なうことが可能になる電子機器を提供することを目的とする。
【０００７】
【課題を解決するための手段】
すなわち、本発明に係わる電子機器は、以下の手段を備えている。
【０００８】
本発明に係わる第１の電子機器は、機器毎に異なる固有のデータを記憶する固有データ記憶手段と、この固有データ記憶手段に記憶されたデータを無線信号として送信する送信手段と、他の機器の送信手段により送信された無線信号または自己の機器の送信手段により送信された無線信号の反射信号を受信する受信手段と、複数種類の画像データを記憶している画像データ記憶手段と、前記受信手段により受信された無線信号のデータと前記固有データ記憶手段に記憶されている固有データとの一致／不一致を判断する受信データ判断手段と、この受信データ判断手段の判断結果に応じて前記画像データ記憶手段に記憶された複数種類の画像データのうち少なくとも１つの画像データを選択する画像データ選択手段と、この画像データ選択手段により選択された画像データを表示する表示手段と、を具備したことを特徴とする。
【０００９】
また、本発明に係わる第２の電子機器は、機器毎に異なる固有のデータを記憶する固有データ記憶手段と、この固有データ記憶手段に記憶されたデータを無線信号として送信する送信手段と、他の機器の送信手段により送信された無線信号または自己の機器の送信手段により送信された無線信号の反射信号を受信する受信手段と、複数種類の画像データを記憶している画像データ記憶手段と、この画像データ記憶手段に記憶された複数種類の画像データのそれぞれに対応して複数種類の音データを記憶している音データ記憶手段と、前記受信手段により受信された無線信号のデータと前記固有データ記憶手段に記憶されている固有データとの一致／不一致を判断する受信データ判断手段と、この受信データ判断手段の判断結果に応じて前記画像データ記憶手段に記憶された複数種類の画像データのうち少なくとも１つの画像データを選択する画像データ選択手段と、この画像データ選択手段により選択された画像データを表示する表示手段と、この表示手段による画像データの表示と共に、その画像データに対応して前記音データ記憶手段に記憶されている音データに応じた音を発生する音発生手段と、を具備したことを特徴とする。
【００１０】
【作用】
本発明に係わる第１の電子機器では、他の機器の送信手段により送信された無線信号または自己の機器の送信手段により送信された無線信号の反射信号を受信手段により受信すると、この受信された無線信号のデータと固有データ記憶手段に記憶されている固有データとの一致／不一致を受信データ判断手段により判断する。すると、この受信データ判断手段の判断結果に応じて画像データ記憶手段に記憶された複数種類の画像データのうち少なくとも１つの画像データを選択し、この選択された画像データを表示手段に表示する。
【００１１】
また、本発明に係わる第２の電子機器は、他の機器の送信手段により送信された無線信号または自己の機器の送信手段により送信された無線信号の反射信号を受信手段により受信すると、この受信された無線信号のデータと固有データ記憶手段に記憶されている固有データとの一致／不一致を受信データ判断手段により判断する。すると、この受信データ判断手段の判断結果に応じて画像データ記憶手段に記憶された複数種類の画像データのうち少なくとも１つの画像データを選択し、この選択された画像データを表示手段に表示する。一方、この表示手段による画像データの表示と共に、その画像データに対応して前記音データ記憶手段に記憶されている音データに応じた音を音発生手段により発生する。
【００１２】
【実施例】
以下図面により本発明の一実施例について説明する。
【００１３】
図１は本発明の電子機器を搭載した電子手帳の電子回路の構成を示すブロック図である。
【００１４】
この電子手帳は、ＣＰＵ（中央処理装置）１１を備えている。
【００１５】
前記ＣＰＵ１１は、キー入力部１２からのキー操作信号に応じて起動されるＲＯＭ１３に予め記憶されたシステムプログラムに従って回路各部の動作制御を司るもので、このＣＰＵ１１には、キー入力部１２，ＲＯＭ１３の他、送信部１４，受信部１５、及びＲＡＭ１６が接続される。
【００１６】
また、前記ＣＰＵ１１には、発振回路１１ｂ及び分周回路１１ｃからなるタイマ１１ａが接続され、さらに、表示駆動回路１７を介して液晶表示部１８が接続されると共に、増幅回路１９を介してスピーカ２０が接続される。
【００１７】
前記キー入力部１２には、手帳データとして登録させる「名前」や「電話番号」を入力するための文字キー及びテンキー１２ａが設けられると共に、手帳モードと画像表示モードとを切換える際に操作される「モード」キー１２ｂ、手帳モードでは他の電子機器に対する手帳データの送信開始キーとして操作され、画像表示モードでは赤外光の発光開始キーとして操作される「スタート」キー１２ｃ、手帳モードでは他の電子機器から受信される手帳データの受信終了キーとして操作され、画像表示モードでは赤外光の発光停止キーとして操作される「エンド」キー１２ｄ、手帳モードにおいて他の電子機器から送信された手帳データを受信する際に操作される「受信」キー１２ｅ、前記文字キー及びテンキー１２ａの操作に応じて入力された手帳データ、あるいは他の電子機器から受信された手帳データをＲＡＭ１６に登録させる際に操作される「書込み」キー１２ｆ、ＲＡＭ１６に登録された手帳データを検索表示する際に操作される「検索」キー１２ｇ等が設けられる。
【００１８】
前記ＲＯＭ１３には、ＣＰＵ１１を制御動作させるためのシステムプログラムの他、複数種類の被表示画像データと共に、その被表示画像データのそれぞれに対応した効果音データが予め記憶される。
【００１９】
図２は前記電子手帳のＲＯＭ１３に予め記憶される被表示画像データ及びその効果音データを示す図である。
【００２０】
すなわち、前記ＲＯＭ１３には、「Ｍ＝０〜４」でアドレスされる５種類（組）の犬のキャラクタデータがビットマップデータとしてそれぞれ２つ(1)(2)１組で記憶されると共に、該５種類のキャラクタデータに対応させた効果音データがＰＣＭデータとして記憶される。
【００２１】
前記送信部１４には、送信回路１４ａ及び発光素子１４ｂが備えられ、ＣＰＵ１１から与えられる送信データに応じて赤外光を発光するもので、前記手帳モードでは、文字キー及びテンキー１２ａの操作に応じて入力表示された手帳データ、あるいは「検索」キー１２ｇの操作に応じて検索表示された手帳データが、「スタート」キー１２ｃの操作に応じて送信回路１４ａにて変調され発光素子１４ｂを介し赤外発光信号として送信出力される。
【００２２】
また、画像表示モードでは、ＲＡＭ１６に登録された電子手帳毎に異なる固有の性別及び名前データが、「スタート」キー１２ｃの操作に応じて送信回路１４ａにて変調され発光素子１４ｂを介し赤外発光信号として送信出力される。
【００２３】
前記受信部１５には、受信回路１５ａ及び受光素子１５ｂが備えられ、他の電子手帳の送信部１４より送信された赤外発光信号や自分の電子手帳の送信部１４から送信された赤外発光信号の反射信号を、何れも外部からの赤外発光信号として受光，受信するもので、前記手帳モードでは、他の電子機器から赤外発光信号として送信された手帳データが、「受信」キー１２ｅの操作に応じて受光素子１５ｂを介し受信回路１５ａにて受信復調され、液晶表示部１８に表示される。
【００２４】
また、画像表示モードでは、外部から赤外発光信号として与えられたデータが受光素子１５ｂを介し受信回路１５ａにて受信復調され、ＣＰＵ１１に通知される。
【００２５】
図３は前記電子手帳のＲＡＭ１６に備えられるレジスタの構成を示す図である。
【００２６】
すなわち、前記ＲＡＭ１６には、「名前」及び「電話番号」からなる所定人数分の手帳データが手帳データポインタＰで示されるアドレスに登録される手帳データレジスタ１６ａ、液晶表示部１８に表示させるべき被表示データがイメージデータとして書込まれる表示レジスタ１６ｂ、ＲＯＭ１３に予め記憶されている犬のキャラクタデータに対し電子手帳毎に異なる固有の性別及び名前データが登録される性別レジスタ１６ｃ及び名前レジスタ１６ｄ、前記受信部１５において受信された赤外発光信号の受光波形がデジタルデータとして記憶される光波形レジスタ１６ｅ、前記タイマ１１ａからの３２Hzのタイマパルス信号に基づき前記画像表示モードにおける赤外発光信号の受光時間が更新セットされる受信タイマレジスタＴ0 、前記タイマ１１ａからの３２Hzのタイマパルス信号に基づき前記画像表示モードにおけるキャラクタデータの表示切換え時間を規定する表示タイマレジスタＴ1 、手帳モードで“０”，画像表示モードで“１”にセットされるモードフラグレジスタＮ、前記ＲＯＭ１３に記憶されるキャラクタデータ及び効果音データのアドレスを示すＲＯＭアドレスレジスタＭ、前記手帳モードにおける手帳データの受信状態にて“１”にセットされる受信フラグレジスタＦ0 、前記画像表示モードにおける赤外光の発光状態にて“１”にセットされる発光フラグレジスタＦ1 、前記画像表示モードにおける犬キャラクタデータの性別，名前を登録するモードにおいて“１”にセットされる名前登録フラグレジスタＢ、及び前記画像表示モードにおいて赤外光の受光開始に際し“１”にセットされる受光フラグレジスタＳが備えられる。
【００２７】
前記液晶表示部１８には、手帳モードでは、文字キー及びテンキー１２ａの操作に応じて入力された手帳データか、「検索」キー１２ｇの操作に応じてＲＡＭ１６の手帳データレジスタ１６ａから検索された手帳データか、あるいは「受信」キー１２ｅの操作に応じて受信部１５を介し受信された手帳データの何れかが表示される。
【００２８】
また、画像表示モードでは、性別，名前を登録する際にそのキー入力データが表示され、その後、ＲＡＭ１６のＲＯＭアドレスレジスタＭにて示されるＲＯＭアドレスに応じてＲＯＭ１３から読出された少なくとも１組(1)(2)のキャラクタデータが、表示タイマレジスタＴ1 で規定される表示切換え時間に基づいて２秒毎に交互に表示される。
【００２９】
前記スピーカ２０からは、画像表示モードにおいて、前記ＲＡＭ１６のＲＯＭアドレスレジスタＭにて示されるＲＯＭアドレスに応じてＲＯＭ１３から読出された効果音データに基づく効果音が発生される。
【００３０】
一方、前記タイマ１１ａは、例えば３２Hzのタイマパルス信号をＣＰＵ１１に供給するもので、前記受信タイマレジスタＴ0 ，表示タイマレジスタＴ1 には、前記３２Hzのタイマパルス信号に対応してそのタイマ計時データが加算され、例えばＴ＝３２で１秒、Ｔ＝６４で２秒として判断される。
【００３１】
前記受信タイマレジスタＴ0 及び表示タイマレジスタＴ1 は、画像表示モードにおいて受信部１５にて赤外発光信号が受光受信されるとクリアスタートされるもので、前記表示タイマレジスタＴ1 に書込まれるタイマ計時データが２秒を経過する毎に、ＲＯＭアドレスレジスタＭにセットされているＲＯＭアドレスに対応する１組のキャラクタデータ（図２参照）の切替え表示が行なわれる。
【００３２】
ここで、前記受信部１５にて外部からの赤外発光信号が受信される状態で、その受信復調されたデータ内容が前記ＲＡＭ１６内の性別レジスタ１６ｃ及び名前レジスタ１６ｄに予め登録された性別及び名前データと一致し且つその受信時間Ｔ0 が０．５秒を越えた場合には、前記ＲＯＭアドレスＭに“２”がセットされ、また、前記受信復調されたデータ内容が性別で一致しても名前で不一致である場合には、前記ＲＯＭアドレスレジスタＭに“３”がセットされ、また、前記受信復調されたデータ内容が性別，名前共に不一致である場合には、前記ＲＯＭアドレスレジスタＭに“４”がセットされ、さらに、前記受信復調されたデータ内容が性別及び名前で一致してもその受信時間が０．５秒以下である場合には、前記ＲＯＭアドレスレジスタＭに“１”がセットされる。
【００３３】
すなわち、前記ＲＯＭアドレスレジスタＭには、外部からの赤外発光信号が受信部１５に受信された際、そのデータ内容がＲＡＭ１６内に予め登録された性別，名前データと一致する場合に“１”あるいは“２”がセットされ、また、一致しない場合に“３”あるいは“４”が選択的にセットされることになる。
【００３４】
次に、前記構成による電子手帳の動作について説明する。
【００３５】
図４は前記電子手帳の全体処理を示すフローチャートである。
【００３６】
すなわち、キー入力部１２における「モード」キー１２ｂを操作した際に、ＲＡＭ１６のモードフラグレジスタＮに“０”がセットされている場合、つまり、現在、ＣＰＵ１１が手帳モードに設定されている場合には、該モードフラグレジスタＮに“１”がセットされ、ＣＰＵ１１は画像表示モードに切換え設定される（ステップＳ１→Ｓ２→Ｓ３）。
【００３７】
前記ＣＰＵ１１が画像表示モードに設定されると、ＲＯＭアドレスレジスタＭに“０”がセットされる（ステップＳ４）。
【００３８】
また、前記「モード」キー１２ｂを操作した際に、ＲＡＭ１６のモードフラグレジスタＮに“１”がセットされている場合、つまり、現在、ＣＰＵ１１が画像表示モードに設定されている場合には、該モードフラグレジスタＮに“０”がセットされ、ＣＰＵ１１は手帳モードに切換え設定される（ステップＳ１→Ｓ２→Ｓ５）。
【００３９】
そして、前記ＲＡＭ１６のモードフラグレジスタＮに“０”がセットされている手帳モードにあっては、ＣＰＵ１１により手帳モード処理（図５参照）が実行される（ステップＳ６→ＳＡ）。
【００４０】
また、モードフラグレジスタＮに“１”がセットされている画像表示モードにあっては、ＣＰＵ１１により画像表示モード処理（図６〜図１１参照）が実行される（ステップＳ６→ＳＢ）。
【００４１】
図５は前記電子手帳における手帳モード処理を示すフローチャートである。
【００４２】
すなわち、ＲＡＭ１６のモードフラグレジスタＮに“０”がセットされている手帳モードにあって、キー入力部１２の文字キー及びテンキー１２ａを操作して「名前」「電話番号」等の手帳データを入力すると、そのキー入力手帳データは、ＣＰＵ１１から表示駆動回路１７を介して液晶表示部１８に順次表示される（ステップＡ１→Ａ２，Ａ３）。
【００４３】
また、キー入力部１２の「書込み」キー１２ｆを操作すると、現在、液晶表示部１８に表示されている手帳データがＲＡＭ１６の手帳データレジスタ１６ａに登録される（ステップＡ４→Ａ５）。
【００４４】
また、キー入力部１２の「検索」キー１２ｇを操作すると、そのキー操作毎にＲＡＭ１６の手帳データポインタＰが（＋１）されて更新され、手帳データレジスタ１６ａに登録されている所定人数の手帳データが順次検索されると共に、該検索された手帳データはＣＰＵ１１に読出され、表示駆動回路１７を介して液晶表示部１８に表示される（ステップＡ６→Ａ７，Ａ３）。
【００４５】
また、キー入力部１２の「スタート」キー１２ｃを操作すると、現在、液晶表示部１８に表示されている手帳データが送信部１４の送信回路１４ａにて赤外波長に変調され、発光素子１４ｂから他の電子機器に対し、赤外発光データとして送信される（ステップＡ８→Ａ９）。
【００４６】
また、キー入力部１２の「受信」キー１２ｅを操作すると、ＲＡＭ１６の受信フラグレジスタＦ0 に“１”がセットされ、他の電子機器から赤外発光データとして送信された手帳データが受信部１５によって受信され、ＣＰＵ１１から表示駆動回路１７を介し液晶表示部１８に表示される（ステップＡ１０→Ａ１１，Ａ１２，Ａ３）。
【００４７】
そして、キー入力部１２の「エンド」キー１２ｄを操作すると、ＲＡＭ１６の受信フラグレジスタＦ0 に“０”がセットされ、前記他の電子機器から赤外発光データとして送信された手帳データの受信処理が停止される（ステップＡ１３→Ａ１４，Ａ１５）。
【００４８】
図６は前記電子手帳における画像表示モード処理を示すフローチャートである。
【００４９】
図７は前記電子手帳における画像表示モード処理に伴なう受光検出処理を示すフローチャートである。
【００５０】
図８は前記電子手帳における画像表示モード処理に伴なう画像表示処理を示すフローチャートである。
【００５１】
図９は前記電子手帳における画像表示モード処理に伴なう名前登録モードでの性別，名前の登録表示状態を示す図である。
【００５２】
図１０は前記電子手帳における画像表示モード処理に伴なうユーザの非接触操作による赤外発光反射信号の受信時間が０．５秒以下である場合のキャラクタ表示状態を示す図である。
【００５３】
図１１は前記電子手帳における画像表示モード処理に伴ない他の電子手帳から送信された赤外発光信号が受信されそのデータ内容が同性，異名である場合のキャラクタ表示状態を示す図である。
【００５４】
すなわち、図６における画像表示モード処理において、ＲＯＭ１３に予め記憶された犬キャラクタデータに対しそのユーザ所望の性別及び名前を登録すべく、図９に示すように、キー入力部１２の文字キー及びテンキー１２ａを操作すると、ＲＡＭ１６内の名前登録フラグレジスタＢが“１”がセットされて名前登録モードに設定される（ステップＢ１→Ｂ２）。
【００５５】
そして、「性別」「名前」のガイダンス表示に伴なってキー入力部１２の文字及びテンキー１２ａを操作し、ユーザ所望の性別（「オス」又は「メス」）及び名前（例えば「ガガーリン」）を入力すると、画像表示処理が起動される（ステップＢ３，ＢＤ）。
【００５６】
すなわち、図８における画像表示処理において、ＲＡＭ１６内の名前登録フラグレジスタＢに“１”がセットされていることで、名前登録モードに設定されていると判断されると、前記ステップＢ３においてキー入力された性別及び名前データが、図９で示すように、液晶表示部１８に表示される（ステップＤ１→Ｄ２）。
【００５７】
ここで、「書込み」キー１２ｆを操作すると、前記液晶表示部１８に表示された性別データ「オス」及び名前データ「ガガーリン」が、それぞれＲＡＭ１６内の性別レジスタ１６ｃ及び名前レジスタ１６ｄに登録される（ステップＢ４→Ｂ５，ＢＤ「Ｄ１→Ｄ２」）。
【００５８】
こうして、自己の電子手帳の犬キャラクタデータに対する性別及び名前を登録した状態で、ユーザ自身の非接触操作によりキャラクタ表示を行なわせるべく、「スタート」キー１２ｃを操作すると、発光フラグレジスタＦ1 に“１”がセットされ、前記ＲＯＭ１６内の性別レジスタ１６ｃ及び名前レジスタ１６ｄに登録された性別及び名前データが送信回路１４ａにて赤外波長に変調されその赤外発光信号が発光素子１４ｂを介して送信される（ステップＢ６→Ｂ７）。
【００５９】
また、これと共に、ＲＯＭアドレスレジスタＭに“０”が初期セットされ、名前登録フラグレジスタＢが“０”に、受光フラグレジスタＳが“０”にそれぞれセットされる（ステップＢ８，Ｂ９，Ｂ１０）。
【００６０】
そして、受信タイマレジスタＴ0 の計時データが“０”クリアされて、図８における画像表示処理が起動される（ステップＢ１１，ＢＤ）。
【００６１】
すると、前記名前登録フラグレジスタＢは“１”でないと判断されるので、表示タイマレジスタＴ1 の計時データがタイマ１１ａからの３２Hzのタイマパルス信号に基づき１／３２秒分（＋１）されて加算されると共に、まずは、その表示切替え時間Ｔ1 は２秒経過してないとの判断に従って、前記ステップＢ８においてＲＯＭアドレスレジスタＭに初期セットされたＲＯＭアドレス「Ｍ＝０」に対応する犬小屋から出入りする犬キャラクタデータ（図２参照）の第１パターン(1) がＲＯＭ１３から読出され、液晶表示部１８に表示される（ステップＤ１→Ｄ３，Ｄ４→Ｄ５）。
【００６２】
ここで、何等キー入力操作の為されない状態では、図７における受光検出処理（ステップＢＣ）が起動されるが、そのステップＣ１において受信部１５に対し赤外発光信号の受光無しと判断されると共に、ステップＣ２において受光フラグレジスタＳは“１”にセットされてないと判断されるので、そのまま画像表示処理（ステップＢＤ）が繰返し起動され、前記表示タイマレジスタＴ1 の計時データに基づく２秒経過判断に伴なうＲＯＭアドレス「Ｍ＝０」に対応する犬キャラクタデータの第１パターン(1) の表示処理が繰返される（ステップＤ１→Ｄ３，Ｄ４→Ｄ５）。
【００６３】
この後、前記ステップＤ４において「ＹＥＳ」、つまり、表示タイマレジスタＴ1 の計時データに基づき表示切替え時間Ｔ1 が２秒経過したと判断されると、ＲＯＭアドレス「Ｍ＝０」に対応する効果音データ（この場合、無音「…」）がＲＯＭ１３から読出されてスピーカ２０から出力されると共に、該ＲＯＭアドレス「Ｍ＝０」に対応する犬キャラクタデータの被表示パターンが、犬小屋のみの第１パターン(1) から犬小屋から顔を出した第２パターン(2) に切替えられて表示され、前記表示タイマレジスタＴ1 の計時データが“０”クリアされる（ステップＤ４→Ｄ６，Ｄ７，Ｄ８）。
【００６４】
すると、再び、何等キー入力操作の為されない状態では、図７における受光検出処理（ステップＢＣ「Ｃ１→Ｃ２」）を通して繰返し画像表示処理（ステップＢＤ）が起動され、前記表示タイマレジスタＴ1 の計時データに基づく２秒経過判断に伴なうＲＯＭアドレス「Ｍ＝０」に対応する犬キャラクタデータの第２パターン(2) の表示処理が繰返される（ステップＤ１→Ｄ３，Ｄ４→Ｄ５）。
【００６５】
つまり、この場合、ＲＯＭアドレス「Ｍ＝０」に対応する犬小屋から出入りする犬キャラクタデータの第１パターン(1) と第２パターン(2) とが、前記表示切替え時間Ｔ1 に基づき２秒毎に交互に表示されると共に、その表示の切替えに伴ない効果音（Ｍ＝０の場合には無音「…」）が出力されるようになる。
【００６６】
こうして、送信部１４からＲＡＭ１６内の性別データ及び名前データに基づき変調された赤外発光信号が送信されている状態で、図１０で示すように、ユーザの手を発光素子１４ｂ及び受光素子１５ｂの前方に翳して非接触操作を行なうと、その赤外発光反射信号が受光素子１５ｂに受光受信されることにより、図７における受光検出処理において赤外光の入力有りと判断され、受光フラグレジスタＳが“１”にセットされると共に、その赤外受光信号の受光波形がデジタル化されてＲＡＭ１６内の光波形レジスタ１６ｅに記憶される（ステップＣ１→Ｃ３，Ｃ４）。
【００６７】
そして、受信タイマレジスタＴ0 の計時データがタイマ１１ａからの３２Hzのタイマパルス信号に基づき１／３２秒分（＋１）されて加算される（ステップＣ５）。
【００６８】
すると、ステップＣ６において、前記光波形レジスタ１６ｅに記憶される赤外受光信号の受光波形に基づき、その性別データ及び名前データが復調されたか否か判断されるもので、このステップＣ６にて「ＮＯ」、つまり、受信部１５に受信された赤外受光信号のデータ内容が復調されない状態では、再び前記同様の画像表示処理が繰返され、ＲＯＭアドレス「Ｍ＝０」に対応する犬キャラクタデータの切替え表示処理が継続的に実行される（ステップＣ６→ＢＤ「Ｄ１→Ｄ３〜Ｄ８」）。
【００６９】
この後、前記ステップＣ６において「ＹＥＳ」、つまり、受信部１５に受信された赤外受光信号のデータ内容（性別，名前）が復調されたと判断されると、その受信された赤外受光信号の性別及び名前データと、ＲＡＭ１６内の性別レジスタ１６ｃ及び名前レジスタ１６ｄに予め登録された性別データ「オス」及び名前データ「ガガーリン」との一致／不一致がＣＰＵ１１において判断される（ステップＣ６→Ｃ７→Ｃ８）。
【００７０】
このステップＣ７，Ｃ８において共に「ＹＥＳ」、つまり、受信部１５に受信された赤外受光信号が有する性別及び名前データと、予め登録されたこの電子手帳固有の性別（オス）及び名前データ（ガガーリン）とが共に一致したと判断されると、前記受信タイマレジスタＴ0 の計時データに基づき前記赤外受光信号の受信時間Ｔ0 が０．５秒を越えたか否か判断される（ステップＣ７→Ｃ８→Ｃ９）。
【００７１】
ここで、前記ステップＣ７，Ｃ８において共に「ＹＥＳ」、つまり、受信部１５に受信された赤外受光信号が有する性別及び名前データと、予め登録されたこの電子手帳固有の性別及び名前データとが共に一致したと判断されることで、当該赤外受光信号はこの電子手帳の送信部１４から送信された赤外発光信号の反射信号であると判断された場合でも、前記ステップＣ９において「ＮＯ」、つまり、その受信時間Ｔ0 が０．５を越えてないと判断された場合には、再び前記同様の画像表示処理が繰返され、ＲＯＭアドレス「Ｍ＝０」に対応する犬キャラクタデータの切替え表示処理が継続的に実行される（ステップＣ９→ＢＤ「Ｄ１→Ｄ３〜Ｄ８」）。
【００７２】
そして、図１０で示すように、ユーザの手が発光素子１４ｂ及び受光素子１５ｂの前方から遠ざかり、その赤外発光反射信号が受信部１５に受信されなくなると、図７における受光検出処理において赤外光の入力無しと判断されると共に、受光フラグレジスタＳが“１”にセットさていると判断され、受信タイマレジスタＴ0 の計時データが加算される（ステップＣ１→Ｃ２→Ｃ１０）。
【００７３】
ここで、前記受信タイマレジスタＴ0 の計時データに基づき、前記ユーザの非接触操作による赤外発光反射信号の受信時間Ｔ0 が０．５秒以下であると判断されると、ＲＯＭアドレスレジスタＭに“１”がセットされた後、発光フラグレジスタＦ1 に“０”がセットされ送信部１４からの赤外発光信号の送信が停止されると共に、受光フラグレジスタＳに“０”がセットされる（ステップＣ１１→Ｃ１２，Ｃ１３，Ｃ１４）。
【００７４】
そして、受信タイマレジスタＴ0 が“０”クリアされ、画像表示処理が起動される（ステップＣ１５，ＢＤ）。
【００７５】
すると、図８における画像表示処理では、前記ＲＯＭアドレスレジスタＭに更新セットされたＲＯＭアドレス「Ｍ＝１」に対応する悄気る犬のキャラクタデータ（図２参照）がＲＯＭ１３から読出され、図１０で示すように、その第１パターン(1) と第２パターン(2) の表示タイマレジスタＴ1 に基づく切替え表示処理と共に、効果音「ウー」の出力処理が繰返し実行されるようになる（ステップＤ１→Ｄ３〜Ｄ８）。
【００７６】
一方、前記ステップＣ７，Ｃ８，Ｃ９において共に「ＹＥＳ」、つまり、受信部１５に受信された赤外受光信号が有する性別及び名前データと、予め登録されたこの電子手帳固有の性別及び名前データとが共に一致したと判断されることで、当該赤外受光信号はこの電子手帳の送信部１４から送信された赤外発光信号の反射信号であると判断された場合であって、その赤外受光信号の受光時間Ｔ0 が０．５秒を越えたと判断された場合には、ＲＯＭアドレスレジスタＭに“２”がセットされた後、発光フラグレジスタＦ1 に“０”がセットされ送信部１４からの赤外発光信号の送信が停止される（ステップＣ９→Ｃ１６，Ｃ１３）。
【００７７】
そして、受光フラグレジスタＳに“０”がセットされ、受信タイマレジスタＴ0 が“０”クリアされ、画像表示処理が起動される（ステップＣ１４，Ｃ１５，ＢＤ）。
【００７８】
すると、図８における画像表示処理では、前記ＲＯＭアドレスレジスタＭに更新セットされたＲＯＭアドレス「Ｍ＝２」に対応するお手する犬のキャラクタデータ（図２参照）がＲＯＭ１３から読出され、その第１パターン(1) と第２パターン(2) の表示タイマレジスタＴ1 に基づく切替え表示処理と共に、効果音「ワンワン」の出力処理が繰返し実行されるようになる（ステップＤ１→Ｄ３〜Ｄ８）。
【００７９】
すなわち、前記送信部１４から送信させた赤外発光信号が、ユーザの非接触操作に伴なって受信部１５に受信された場合には、その赤外受光信号が有する性別及び名前データと、ＲＡＭ１６内の性別及び名前レジスタ１６ｃ，１６ｄに予め登録させたこの電子手帳固有の性別及び名前データとの一致判断が成され、ＲＯＭアドレスレジスタＭには“１”あるいは“２”がセットされることになるので、液晶表示部１８には、悄気る犬あるいはお手する犬のキャラクタデータの切替え表示が行なわれるようになる。
【００８０】
一方、図１１に示すように、他の電子手帳の送信部１４から送信された赤外発光信号がこの電子手帳の受信部１５で受信されると、図７における受光検出処理において、受光入力有りと判断されることにより、受光フラグレジスタＳが“１”にセットされ、その受光波形がデジタル化されて光波形レジスタ１６ｅに記憶されると共に、受信タイマレジスタＴ0 の計時データが加算される（ステップＣ１→Ｃ３，Ｃ４，Ｃ５）。
【００８１】
そして、前記受信部１５で受信された赤外受光信号が前記光波形レジスタ１６ｅに記憶された受光波形に基づき復調された際に、その受光信号が有する性別データとＲＡＭ１６内の性別レジスタ１６ｃに予め登録された性別データとが一致したと判断された場合であっても、該受光信号が有する名前データとＲＡＭ１６内の名前レジスタ１６ｄに予め登録された名前データとが不一致であると判断された場合には、ＲＯＭアドレスレジスタＭに“３”がセットされた後、発光フラグレジスタＦ1 に“０”がセットされ送信部１４からの赤外発光信号の送信が停止される（ステップＣ６→Ｃ７→Ｃ８→Ｃ１７，Ｃ１３）。
【００８２】
そして、受光フラグレジスタＳに“０”がセットされ、受信タイマレジスタＴ0 が“０”クリアされ、画像表示処理が起動される（ステップＣ１４，Ｃ１５，ＢＤ）。
【００８３】
すると、図８における画像表示処理では、前記ＲＯＭアドレスレジスタＭに更新セットされたＲＯＭアドレス「Ｍ＝３」に対応する怒る犬のキャラクタデータ（図２参照）がＲＯＭ１３から読出され、図１１で示すように、その第１パターン(1) と第２パターン(2) の表示タイマレジスタＴ1 に基づく切替え表示処理と共に、効果音「ウーワンワン」の出力処理が繰返し実行されるようになる（ステップＤ１→Ｄ３〜Ｄ８）。
【００８４】
また、前記他の電子手帳の送信部１４から送信された赤外発光信号がこの電子手帳の受信部１５で受信され復調された際に、ステップＣ７において「ＮＯ」、つまり、その受光信号が有する性別データとＲＡＭ１６内の性別レジスタ１６ｃに予め登録された性別データとが不一致であると判断された場合には、ＲＯＭアドレスレジスタＭに“４”がセットされた後、発光フラグレジスタＦ1 に“０”がセットされ送信部１４からの赤外発光信号の送信が停止される（ステップＣ６→Ｃ７→Ｃ１８→Ｃ１３）。
【００８５】
そして、受光フラグレジスタＳに“０”がセットされ、受信タイマレジスタＴ0 が“０”クリアされ、画像表示処理が起動される（ステップＣ１４，Ｃ１５，ＢＤ）。
【００８６】
すると、図８における画像表示処理では、前記ＲＯＭアドレスレジスタＭに更新セットされたＲＯＭアドレス「Ｍ＝４」に対応する伏せ／お座りする犬のキャラクタデータ（図２参照）がＲＯＭ１３から読出され、その第１パターン(1) と第２パターン(2) の表示タイマレジスタＴ1 に基づく切替え表示処理と共に、効果音「クウン」の出力処理が繰返し実行されるようになる（ステップＤ１→Ｄ３〜Ｄ８）。
【００８７】
すなわち、他の電子手帳の送信部１４から送信された赤外発光信号が、この電子手帳の受信部１５に受信された場合には、その赤外受光信号が有する性別及び名前データと、ＲＡＭ１６内の性別及び名前レジスタ１６ｃ，１６ｄに予め登録させたこの電子手帳固有の性別及び名前データとの間で何等かの不一致判断が成され、ＲＯＭアドレスレジスタＭには“３”または“４”がセットされることになるので、液晶表示部１８には、怒る犬あるいは伏せ／お座りする犬のキャラクタデータのパターン切替え表示が行なわれるようになる。
【００８８】
一方、前記図６における画像表示モード処理において、キー入力部１２の「エンド」キー１２ｄを操作すると、発光フラグレジスタＦ1 に“１”がセットされている赤外発光信号の送信中においては、該発光フラグレジスタＦ1 に“０”がセットされて赤外発光の送信が停止され、画像表示処理において、ＲＯＭアドレスレジスタＭにセットされているＲＯＭアドレスＭに対応する犬キャラクタデータのパターン切替え表示処理が継続的に実行される（ステップＢ１２→Ｂ１３→Ｂ１４，ＢＤ「Ｄ１→Ｄ３〜Ｄ８」）。
【００８９】
したがって、前記構成の電子手帳によれば、ＲＡＭ１６内の性別レジスタ１６ｃ及び名前レジスタ１６ｄに予め登録された電子手帳毎に異なる固有の性別及び名前データを赤外発光信号として変調送信する送信部１４が備えられ、受信部１５において外部からの赤外発光信号が受光受信されると、その受信信号から復調された性別及び名前データと、前記性別及び名前レジスタ１６ｃ，１６ｄに予め登録させた固有の性別及び名前データとの一致／不一致が判断され、他の電子手帳の送信部１４より送信された赤外発光信号が受信されたと判断された場合には、ＲＯＭアドレスレジスタＭは“３”あるいは“４”にセットされ、怒る犬あるいは伏せ／お座りする犬のキャラクタデータがＲＯＭ１３から読出されその効果音発生と共に交互表示され、自己の電子手帳の送信部１４より送信された赤外発光信号の非接触操作による反射信号が受信されたと判断された場合には、ＲＯＭアドレスレジスタＭは“１”あるいは“２”にセットされ、悄気る犬あるいはお手する犬のキャラクタデータがＲＯＭ１３から読出されその効果音発生と共に交互表示されるので、赤外線通信機能を搭載した電子手帳にあって、赤外光の受光パターンに応じてキャラクタデータの変化表示を行なう機能を設けた場合でも、その受光信号が自発光による赤外光をユーザによる非接触操作で反射させたものなのか、あるいは他の電子手帳から発光されたものなのかを区別することができ、それぞれ異なる種類の犬キャラクタデータを選択的に表示することができる。
【００９０】
なお、前記実施例では、赤外発光信号を利用して無線通信手段を構成しているが、音波（例えば超音波）あるいは磁性体からの磁気の変化等を利用して無線通信手段を構成してもよい。
【００９１】
【発明の効果】
以上のように、本発明の第１の電子機器によれば、他の機器の送信手段により送信された無線信号または自己の機器の送信手段により送信された無線信号の反射信号を受信すると、この受信された無線信号のデータと固有データ記憶手段に記憶されている固有データとの一致／不一致を判断し、この判断結果に応じて画像データ記憶手段に記憶された複数種類の画像データのうち少なくとも１つの画像データを選択し、この選択された画像データを表示することができる。
【００９２】
また、本発明の第２の電子機器によれば、他の機器の送信手段により送信された無線信号または自己の機器の送信手段により送信された無線信号の反射信号を受信すると、この受信された無線信号のデータと固有データ記憶手段に記憶されている固有データとの一致／不一致を判断し、この判断結果に応じて、画像データ記憶手段に記憶された複数種類の画像データのうち少なくとも１つの画像データを選択し、この選択された画像データを表示することができるばかりでなく、画像データの表示と共に、その画像データに対応して音データ記憶手段に記憶されている音データに応じた音を発生することができる。
【図面の簡単な説明】
【図１】本発明の電子機器の一実施例に係わる電子手帳の電子回路の構成を示すブロック図。
【図２】前記電子手帳のＲＯＭに予め記憶される被表示画像データ及びその効果音データを示す図。
【図３】前記電子手帳のＲＡＭに備えられるレジスタの構成を示す図。
【図４】前記電子手帳の全体処理を示すフローチャート。
【図５】前記電子手帳における手帳モード処理を示すフローチャート。
【図６】前記電子手帳における画像表示モード処理を示すフローチャート。
【図７】前記電子手帳における画像表示モード処理に伴なう受光検出処理を示すフローチャート。
【図８】前記電子手帳における画像表示モード処理に伴なう画像表示処理を示すフローチャート。
【図９】前記電子手帳における画像表示モード処理に伴なう名前登録モードでの性別，名前の登録表示状態を示す図。
【図１０】前記電子手帳における画像表示モード処理に伴なうユーザの非接触操作による赤外発光反射信号の受信時間が０．５秒以下である場合のキャラクタ表示状態を示す図。
【図１１】前記電子手帳における画像表示モード処理に伴ない他の電子手帳から送信された赤外発光信号が受信されそのデータ内容が同性，異名である場合のキャラクタ表示状態を示す図。
【符号の説明】
１１…ＣＰＵ（中央処理装置）、１１ａ…タイマ、１１ｂ…発振回路、１１ｃ…分周回路、１２…キー入力部、１２ａ…文字キー及びテンキー、１２ｂ…「モード」キー、１２ｃ…「スタート」キー、１２ｄ…「エンド」キー、１２ｅ…「受信」キー、１２ｆ…「書込み」キー、１２ｇ…「検索」キー、１３…ＲＯＭ、１４…送信部、１４ａ…送信回路、１４ｂ…発光素子、１５…受信部、１５ａ…受信回路、１５ｂ…受光素子、１６…ＲＡＭ、１６ａ…手帳データレジスタ、１６ｂ…表示レジスタ、１６ｃ…性別レジスタ、１６ｄ…名前レジスタ、１６ｅ…光波形レジスタ、Ｔ0 …受信タイマレジスタ、Ｔ1 …表示タイマレジスタ、Ｎ…モードフラグレジスタ、Ｍ…ＲＯＭアドレスレジスタ、Ｆ0 …受信フラグレジスタ、Ｆ1 …発光フラグレジスタ、Ｐ…手帳データポインタ、Ｂ…名前登録フラグレジスタ、Ｓ…受光フラグレジスタ、１７…表示駆動回路、１８…液晶表示部、１９…増幅回路、２０…スピーカ。
【図１】
0003663635.tif 000002
【図２】
0003663635.tif 000003
【図３】
0003663635.tif 000004
【図４】
0003663635.tif 000005
【図５】
0003663635.tif 000006
【図６】
0003663635.tif 000007
【図７】
0003663635.tif 000008
【図８】
0003663635.tif 000009
【図９】
0003663635.tif 000010
【図１０】
0003663635.tif 000011
【図１１】
0003663635.tif 000012